(57)【要約】 【課題】  サーバが提供するデータをより簡便な操作で更新用の記録媒体に記録することができるデータ記録システム、データ記録方法、プログラムおよび記録媒体を提供する。【解決手段】  サイトアクセス部５１は、操作画面６０を表示部２４に表示し、「Ｗｅｂサイトへアクセス」ボタン６０１が押されると、ブラウザを起動し、地図データ提供サーバ１０にアクセスして、地図データ提供サーバ１０が開設するホームページを表示する。解凍部５２は、「地図データ読み込み」ボタン６０２が押されると、格納場所入力ウインドウ６１に入力された格納場所情報が示す格納場所に記憶される地図データを、解凍プログラムによって解凍する。書込部５３は、「地図データをＣＤに書き込む」ボタン６０３が押されると、解凍部５２によって解凍された地図データを、書き込みプログラムによってＣＤ２に書き込む。【選択図】      図３
2009163824.tif 000002
【特許請求の範囲】
【請求項１】
予め定める圧縮方法によって圧縮されたデータを記憶し、記憶するデータのうち要求されるデータを通信回線を介して送信するためのホームページを開設する送信装置と、データを、着脱可能に装填された記録媒体に記録するデータ記録装置とを含むデータ記録システムであって、
前記データ記録装置は、
情報を入力する入力手段と、
情報を表示する表示手段と、
データを記憶する記憶手段と、
前記着脱可能に装填された記録媒体にデータを記録する記録手段と、
前記送信装置にアクセスして前記ホームページを表示する処理を行うためのアクセスボタン、前記圧縮方法に基づいて圧縮されたデータを復元する処理を行うための復元ボタン、およびデータを記録媒体に記録する処理を行うための記録ボタンが形成された操作画面を前記表示手段に表示し、前記アクセスボタンが操作されたとき、前記送信装置にアクセスしてホームページを表示するための予め定めるアクセス手順に従って、前記送信装置のホームページを前記表示手段に表示する表示制御手段と、
前記復元ボタンが操作されたとき、前記圧縮方法に基づいて圧縮されたデータを復元するための予め定める復元手順に従って、前記圧縮方法によって圧縮されたデータを記憶する前記記憶手段内の場所を示す記憶場所情報のうち、前記入力手段によって入力される記憶場所情報が示す記憶場所に記憶されるデータを復元する復元手段と、
前記記録ボタンが操作されたとき、前記記録手段によってデータを記録媒体に記録するための予め定める記録手順に従って、前記復元手段によって復元されたデータを、前記記録手段によって前記記録媒体に記録させる記録制御手段とを含むことを特徴とするデータ記録システム。
【請求項２】
予め定める圧縮方法に基づいて圧縮されたデータを記憶し、記憶するデータのうち要求されるデータを通信回線を介して送信するためのホームページを開設する送信装置にアクセスして前記ホームページを表示する処理を行うためのアクセスボタン、前記圧縮方法に基づいて圧縮されたデータを復元する処理を行うための復元ボタン、およびデータを記録媒体に記録する処理を行うための記録ボタンが形成された操作画面を、情報を表示する表示装置に表示し、前記アクセスボタンが操作されたとき、前記送信装置にアクセスしてホームページを表示するための予め定めるアクセス手順に従って、前記送信装置のホームページを表示する表示ステップと、
前記復元ボタンが操作されたとき、前記圧縮方法に基づいて圧縮されたデータを復元するための予め定める復元手順に従って、前記圧縮方法によって圧縮されたデータを記憶する場所を示す記憶場所情報のうち、情報を入力する入力装置によって入力される記憶場所情報が示す記憶場所に記憶されるデータを復元する復元ステップと、
前記記録ボタンが操作されたとき、着脱可能な記録媒体にデータを記録する記録装置によってデータを前記記録媒体に記録するための予め定める記録手順に従って、前記復元ステップで復元されたデータを前記記録媒体に記録する記録ステップとを含むことを特徴とするデータ記録方法。
【請求項３】
予め定める圧縮方法に基づいて圧縮されたデータを記憶し、記憶するデータのうち要求されるデータを通信回線を介して送信するためのホームページを開設する送信装置にアクセスして前記ホームページを表示する処理を行うためのアクセスボタン、前記圧縮方法に基づいて圧縮されたデータを復元する処理を行うための復元ボタン、およびデータを記録媒体に記録する処理を行うための記録ボタンが形成された操作画面を、情報を表示する表示装置に表示し、前記アクセスボタンが操作されたとき、前記送信装置にアクセスしてホームページを表示するための予め定めるアクセス手順に従って、前記送信装置のホームページを表示する表示ステップと、
前記復元ボタンが操作されたとき、前記圧縮方法に基づいて圧縮されたデータを復元するための予め定める復元手順に従って、前記圧縮方法によって圧縮されたデータを記憶する場所を示す記憶場所情報のうち、情報を入力する入力装置によって入力される記憶場所情報が示す記憶場所に記憶されるデータを復元する復元ステップと、
前記記録ボタンが操作されたとき、着脱可能な記録媒体にデータを記録する記録装置によってデータを前記記録媒体に記録するための予め定める記録手順に従って、前記復元ステップで復元されたデータを前記記録媒体に記録する記録ステップとを、コンピュータに実行せるためのプログラム。
【請求項４】
請求項３に記載のプログラムを記録したコンピュータ読取り可能な記録媒体。
【発明の詳細な説明】
【技術分野】
【０００１】
本発明は、サーバからデータを取得し、取得したデータを記録媒体に記録することができるデータ記録システム、データ記録方法、プログラムおよび記録媒体に関する。
【背景技術】
【０００２】
自動車に搭載される車載用ナビゲーション装置などのナビゲーション装置は、地図を表示するための元データである地図データを記憶する。ナビゲーション装置が最新の地図を表示するためには、道路の新設、信号の新設、あるいは店舗の改廃などに伴って、記憶する地図データを更新する必要がある。
【０００３】
ナビゲーション装置などに記憶される地図データを更新することができる従来の技術として、地図情報更新システムがある。この地図情報更新システムは、インターネットを介して最新の地図データを提供する地図更新サーバから、地域ごとにバージョン管理される更新地図データをパーソナルコンピュータによって取得し、取得した更新地図データを地図更新情報記録媒体に書き込む。ナビゲーション装置であるカーナビゲーション端末には、地域ごとにバージョン管理される地図データを記憶する地図情報記録媒体が固定配置されている。カーナビゲーション端末は、地図更新情報記録媒体から更新地図データを読み出し、読み出した地図更新データの地域ごとのバージョンと地図情報記録媒体に記憶される地域ごとのバージョンとを比較する。そして、読み出した更新地図データのバージョンが新しいとき、読み出した更新地図データを地図情報記録媒体に上書きすることによって、地図データを更新する（たとえば特許文献１参照）。
【０００４】
【特許文献１】特開２００２−５６６９号公報
【発明の開示】
【発明が解決しようとする課題】
【０００５】
しかしながら、更新地図データを地図更新サーバから取得つまりダウンロードして、ダウンロードした更新地図データを更新用の記録媒体たとえばＣＤ（Compact Disk）などに書き込むためには、ユーザがパーソナルコンピュータに対して複雑な一連の操作を行わなければならない。さらに、提供される地図データは、送受信される地図データの情報量を削減するために圧縮されていることが多く、圧縮されているデータを復元つまり解凍するためには、解凍するための操作も行う必要がある。
【０００６】
パーソナルコンピュータに対する操作には、たとえばブラウザの起動、地図更新サーバが提供するホームページのＵＲＬ（Uniform Resource Locator）の指定、解凍プログラムの起動、解凍する圧縮データのファイルの指定、解凍先のファイルの指定、ＣＤ書き込みプログラムの起動、解凍したデータのファイルの指定、およびＣＤにデータを書き込むドライブの指定などがある。ユーザは、次々に表示される画面に対して、それぞれ定められた操作を行う必要があり、このような複雑な一連の操作は、パーソナルコンピュータの操作に不慣れなユーザにとっては、多大の時間と労力とが必要になるという問題がある。
【０００７】
本発明の目的は、サーバが提供するデータをより簡便な操作で更新用の記録媒体に記録することができるデータ記録システム、データ記録方法、プログラムおよび記録媒体を提供することである。
【課題を解決するための手段】
【０００８】
本発明（１）は、予め定める圧縮方法によって圧縮されたデータを記憶し、記憶するデータのうち要求されるデータを通信回線を介して送信するためのホームページを開設する送信装置と、データを、着脱可能に装填された記録媒体に記録するデータ記録装置とを含むデータ記録システムであって、
前記データ記録装置は、
情報を入力する入力手段と、
情報を表示する表示手段と、
データを記憶する記憶手段と、
前記着脱可能に装填された記録媒体にデータを記録する記録手段と、
前記送信装置にアクセスして前記ホームページを表示する処理を行うためのアクセスボタン、前記圧縮方法に基づいて圧縮されたデータを復元する処理を行うための復元ボタン、およびデータを記録媒体に記録する処理を行うための記録ボタンが形成された操作画面を前記表示手段に表示し、前記アクセスボタンが操作されたとき、前記送信装置にアクセスしてホームページを表示するための予め定めるアクセス手順に従って、前記送信装置のホームページを前記表示手段に表示する表示制御手段と、
前記復元ボタンが操作されたとき、前記圧縮方法に基づいて圧縮されたデータを復元するための予め定める復元手順に従って、前記圧縮方法によって圧縮されたデータを記憶する前記記憶手段内の場所を示す記憶場所情報のうち、前記入力手段によって入力される記憶場所情報が示す記憶場所に記憶されるデータを復元する復元手段と、
前記記録ボタンが操作されたとき、前記記録手段によってデータを記録媒体に記録するための予め定める記録手順に従って、前記復元手段によって復元されたデータを、前記記録手段によって前記記録媒体に記録させる記録制御手段とを含むことを特徴とするデータ記録システムである。
【０００９】
また本発明（２）は、予め定める圧縮方法に基づいて圧縮されたデータを記憶し、記憶するデータのうち要求されるデータを通信回線を介して送信するためのホームページを開設する送信装置にアクセスして前記ホームページを表示する処理を行うためのアクセスボタン、前記圧縮方法に基づいて圧縮されたデータを復元する処理を行うための復元ボタン、およびデータを記録媒体に記録する処理を行うための記録ボタンが形成された操作画面を、情報を表示する表示装置に表示し、前記アクセスボタンが操作されたとき、前記送信装置にアクセスしてホームページを表示するための予め定めるアクセス手順に従って、前記送信装置のホームページを表示する表示ステップと、
前記復元ボタンが操作されたとき、前記圧縮方法に基づいて圧縮されたデータを復元するための予め定める復元手順に従って、前記圧縮方法によって圧縮されたデータを記憶する場所を示す記憶場所情報のうち、情報を入力する入力装置によって入力される記憶場所情報が示す記憶場所に記憶されるデータを復元する復元ステップと、
前記記録ボタンが操作されたとき、着脱可能な記録媒体にデータを記録する記録装置によってデータを前記記録媒体に記録するための予め定める記録手順に従って、前記復元ステップで復元されたデータを前記記録媒体に記録する記録ステップとを含むことを特徴とするデータ記録方法である。
【００１０】
また本発明（３）は、予め定める圧縮方法に基づいて圧縮されたデータを記憶し、記憶するデータのうち要求されるデータを通信回線を介して送信するためのホームページを開設する送信装置にアクセスして前記ホームページを表示する処理を行うためのアクセスボタン、前記圧縮方法に基づいて圧縮されたデータを復元する処理を行うための復元ボタン、およびデータを記録媒体に記録する処理を行うための記録ボタンが形成された操作画面を、情報を表示する表示装置に表示し、前記アクセスボタンが操作されたとき、前記送信装置にアクセスしてホームページを表示するための予め定めるアクセス手順に従って、前記送信装置のホームページを表示する表示ステップと、
前記復元ボタンが操作されたとき、前記圧縮方法に基づいて圧縮されたデータを復元するための予め定める復元手順に従って、前記圧縮方法によって圧縮されたデータを記憶する場所を示す記憶場所情報のうち、情報を入力する入力装置によって入力される記憶場所情報が示す記憶場所に記憶されるデータを復元する復元ステップと、
前記記録ボタンが操作されたとき、着脱可能な記録媒体にデータを記録する記録装置によってデータを前記記録媒体に記録するための予め定める記録手順に従って、前記復元ステップで復元されたデータを前記記録媒体に記録する記録ステップとを、コンピュータに実行せるためのプログラムである。
【００１１】
また本発明（４）は、前記プログラムを記録したコンピュータ読取り可能な記録媒体である。
【発明の効果】
【００１２】
本発明（１）によれば、予め定める圧縮方法によって圧縮されたデータを記憶し、記憶するデータのうち要求されるデータを通信回線を介して送信するためのホームページを開設する送信装置と、入力手段、表示手段、記憶手段、記録手段、表示制御手段、復元手段および記録制御手段を含むデータ記録装置とを含むデータ記録システムによってデータを着脱可能な記録媒体に記録するにあたって、入力手段によって、情報が入力され、表示手段によって、情報が表示され、記憶手段によって、データが記憶され、記録手段によって、着脱可能な記録媒体にデータが記録される。
【００１３】
表示制御手段によって、前記送信装置にアクセスして前記ホームページを表示する処理を行うためのアクセスボタン、前記圧縮方法に基づいて圧縮されたデータを復元する処理を行うための復元ボタン、およびデータを記録媒体に記録する処理を行うための記録ボタンが形成された操作画面が前記表示手段に表示され、前記アクセスボタンが操作されたとき、前記送信装置にアクセスしてホームページを表示するための予め定めるアクセス手順に従って、前記送信装置のホームページが前記表示手段に表示される。
【００１４】
復元手段によって、前記復元ボタンが操作されたとき、前記圧縮方法に基づいて圧縮されたデータを復元するための予め定める復元手順に従って、前記圧縮方法によって圧縮されたデータを記憶する前記記憶手段内の場所を示す記憶場所情報のうち、入力手段によって入力される記憶場所情報が示す記憶場所に記憶されるデータが復元される。
【００１５】
そして、記録制御手段によって、前記記録ボタンが操作されたとき、記録手段によってデータを記録媒体に記録するための予め定める記録手順に従って、前記復元手段によって復元されたデータが、記録手段によって前記記録媒体に記録される。
【００１６】
したがって、ユーザは、データ記録装置によって表示される操作画面に応答して操作すればよく、送信装置が提供するデータをより簡便な操作で更新用の記録媒体に記録することができる。
【００１７】
また本発明（２）によれば、表示ステップでは、予め定める圧縮方法に基づいて圧縮されたデータを記憶し、記憶するデータのうち要求されるデータを通信回線を介して送信するためのホームページを開設する送信装置にアクセスして前記ホームページを表示する処理を行うためのアクセスボタン、前記圧縮方法に基づいて圧縮されたデータを復元する処理を行うための復元ボタン、およびデータを記録媒体に記録する処理を行うための記録ボタンが形成された操作画面を、情報を表示する表示装置に表示し、前記アクセスボタンが操作されたとき、前記送信装置にアクセスしてホームページを表示するための予め定めるアクセス手順に従って、前記送信装置のホームページを表示する。
【００１８】
復元ステップでは、前記復元ボタンが操作されたとき、前記圧縮方法に基づいて圧縮されたデータを復元するための予め定める復元手順に従って、前記圧縮方法によって圧縮されたデータを記憶する場所を示す記憶場所情報のうち、情報を入力する入力装置によって入力される記憶場所情報が示す記憶場所に記憶されるデータを復元する。
【００１９】
そして、記録ステップでは、前記記録ボタンが操作されたとき、着脱可能な記録媒体にデータを記録する記録装置によってデータを前記記録媒体に記録するための予め定める記録手順に従って、前記復元ステップで復元されたデータを前記記録媒体に記録する。
【００２０】
したがって、ユーザは、本発明に係るデータ記録方法によって表示される操作画面に応答して操作すればよく、送信装置が提供するデータをより簡便な操作で更新用の記録媒体に記録することができる。
【００２１】
また本発明（３）によれば、本発明に係るデータ記録方法の各ステップをコンピュータに実行させるためのプログラムとして提供することができる。
【００２２】
また本発明（４）によれば、本発明に係るデータ記録方法の各ステップをコンピュータに実行させるためのプログラムを記録したコンピュータ読取り可能な記録媒体として提供することができる。
【発明を実施するための最良の形態】
【００２３】
図１は、本発明の実施の一形態である地図データ更新システム１の構成を示すブロック図である。データ記録システムである地図データ更新システム１は、地図データ提供サーバ１０、地図データ記録装置２０、ネットワーク３０およびナビゲーション装置４０を含んで構成される。本発明に係るデータ記録方法は、地図データ記録装置２０によって実行される。
【００２４】
送信装置である地図データ提供サーバ１０は、地域ごとにバージョン管理される最新の地図データを記憶し、記憶する地図データのうち要求される地図データをネットワーク３０を介して送信するためのホームページを開設しているサーバである。地図データ提供サーバ１０に記憶される地図データは、予め定める圧縮方法、たとえば一般的に流通している圧縮解凍プログラムによる圧縮方法によって圧縮されたデータである。
【００２５】
データ記録装置である地図データ記録装置２０は、ユーザが地図データ記録装置２０に対して行う操作に従って、地図データ提供サーバ１０にアクセスし、必要な地域の最新の地図データをダウンロードし、さらにダウンロードした地図データを復元つまり解凍した後、解凍した地図データを記録媒体たとえばＣＤ（Compact Disk）２に記録する。
【００２６】
通信回線であるネットワーク３０は、たとえばインターネットによって構成され、ネットワーク３０に接続される地図データ提供サーバ１０および地図データ記録装置２０間でのデータの送受信を可能とする。図１には、１つの地図データ記録装置２０しか示していないが、ネットワーク３０には複数台の地図データ記録装置２０を接続することができる。
【００２７】
ナビゲーション装置４０は、地図データを記憶し、記憶する地図データに基づいて地図を表示するとともに、目的地までの経路あるいは所要時間などの情報を表示する装置である。ナビゲーション装置４０は、たとえば自動車などに搭載されるカーナビゲーション装置あるいは携帯型のナビゲーション装置であり、ＣＤ２などの記録媒体を着脱可能である。ナビゲーション装置４０は、地図データ記録装置２０によって地図データが記録されたＣＤ２を装着し、装着したＣＤ２から地図データを読み出し、読み出した地図データのうち、ナビゲーション装置４０に記憶される地図データのバージョンよりも新しいバージョンの地図データを、ナビゲーション装置４０に記憶される古いバージョンの地図データに代えて記憶する。
【００２８】
図２は、地図データ記録装置２０のハードウエアの構成を示すブロック図である。地図データ記録装置２０は、たとえばパーソナルコンピュータ（以下「パソコン」という）などのコンピュータによって構成され、通信部２１、制御部２２、記憶部２３、表示部２４、操作部２５および記録部２６を含んで構成される。
【００２９】
通信部２１は、ネットワーク３０に接続され、制御部２２の指示に従って、地図データ提供サーバ１０とデータの送受信を行い、地図データ提供サーバ１０と送受信するデータを制御部２２と受け渡しする。制御部２２は、たとえば中央処理装置（Central
Processing Unit；以下「ＣＰＵ」という）によって構成され、記憶部２３によって記憶される制御プログラムを実行することによって、通信部２１、表示部２４、操作部２５および記録部２６を制御し、後述する機能を実現する。
【００３０】
記憶手段である記憶部２３は、たとえばＲＯＭ（Read Only Memory）およびＲＡＭ（
Random Access Memory）などの半導体メモリあるいはハードディスク装置などの記憶装置によって構成され、ＣＰＵで実行される制御プログラム、およびＣＰＵによって読み書きされるデータを記憶する。表示手段である表示部２４は、たとえば液晶ディスプレイなどの表示装置であり、制御部２２から受け取る情報を表示する。
【００３１】
入力手段である操作部２５は、たとえばキーボードおよびマウスなどを含んで構成され、入力される情報を制御部２２に送る。記録手段である記録部２６は、着脱可能な記録媒体を装着し、装着した記録媒体に記録するドライブつまり記録装置であり、少なくとも、着脱可能なＣＤ２を着脱し、制御部２２から受け取るデータをＣＤ２に記録するドライブを含む。
【００３２】
記憶部２３に記憶される制御プログラムは、本発明に係るプログラムである地図データ取得操作支援ツール（以下「支援ツール」という）５０と、ホームページにアクセスするブラウザと、地図データ提供サーバ１０で用いられる圧縮方法で圧縮されたデータを復元つまり解凍する解凍プログラムと、データをＣＤ２に書き込む書き込みプログラムと、地図データ取得操作支援ツール５０、ブラウザ、解凍プログラムおよび書き込みプログラムなどのアプリケーションプログラムの実行を制御するオペレーティングシステムプログラム（以下「ＯＳ」という）とを含んで構成される。
【００３３】
ＯＳは、たとえばマイクロソフト社のＷｉｎｄｏｗｓ（登録商標）であり、ブラウザは、たとえばマイクロソフト社のインターネットエクスプローラであり、解凍プログラムは、たとえば一般的に流通している圧縮解凍プログラムであり、書き込みプログラムは、たとえばＷｉｎｄｏｗｓ（登録商標）に搭載されているイメージマスタリングである。
【００３４】
図３は、支援ツール５０の機能の構成を示す図である。支援ツール５０は、サイトアクセス部５１、解凍部５２および書込部５３を含んで構成される。サイトアクセス部５１、解凍部５２および書込部５３の各機能は、制御部２２が記憶部２３に記憶される制御プログラムを実行することによって実現される機能である。
【００３５】
表示制御手段であるサイトアクセス部５１は、後述する操作画面６０を表示部２４に表示し、表示した操作画面６０に応答して、Ｗｅｂ（ウェブ）サイトへのアクセス指示をユーザから受けると、ブラウザを起動し、地図データ提供サーバ１０のＵＲＬ（Uniform
Resource Locator）をブラウザに入力することによって、地図データ提供サーバ１０にアクセスし、地図データ提供サーバ１０が開設するホームページを表示する。ユーザは、そのホームページから所望する地域の最新の地図データを、地図データ記録装置２０の記憶部２３の所望する格納場所にダウンロードする。
【００３６】
復元手段である解凍部５２は、操作画面６０に応答して、地図データ読み込み指示をユーザから受けると、後述する格納場所入力ウインドウ６１を表示部２４に表示する。そして、ユーザが格納場所入力ウインドウ６１に、ダウンロードした地図データの格納場所を示す格納場所情報を入力すると、解凍プログラムを起動し、格納場所情報が示す格納場所に記憶される地図データを解凍する。格納場所情報は、記憶場所情報であり、格納場所は、記憶場所である。
【００３７】
記録制御手段である書込部５３は、操作画面６０に応答して、地図データをＣＤに書き込む指示をユーザから受けると、後述するドライブ入力ウインドウ６２を表示部２４に表示する。そして、ユーザがドライブ入力ウインドウ６２に、ＣＤ２が装着されたドライブのドライブ名を入力すると、解凍部５２によって解凍された地図データを、装着されたＣＤ２に書き込む。
【００３８】
表示部２４には、支援ツール５０を起動するためのアイコンが表示され、このアイコンをマウスによってダブルクリックすることによって支援ツール５０を起動することができる。さらに、表示部２４には、支援ツール５０が起動されると、支援ツール５０が動作中であることを示すタブが表示され、このタブをマウスによってクリックすると、支援ツール５０が表示する操作画面６０が最前面に表示される。
【００３９】
図４は、サイトアクセス部５１によって表示される操作画面６０の一例を示す図である。操作画面６０は、表示部２４に画面に表示されるアイコンのうち、支援ツール５０を起動するためのアイコンがユーザによってダブルクリックされたとき、サイトアクセス部５１によって表示部２４に表示されるウインドウである。
【００４０】
操作画面６０には、「地図データ取得操作支援ツール」というタイトル、「Ｗｅｂサイトへアクセス」ボタン６０１、「地図データ読み込み」ボタン６０２、「地図データをＣＤに書き込む」ボタン６０３、「ツールマニュアル」ボタン６０４、解説表示領域６０５、ファイルリスト表示領域６０７および閉じるボタン６０９が設けられる。
【００４１】
アクセスボタンである「Ｗｅｂサイトへアクセス」ボタン６０１は、地図データ提供サーバ１０が開設するホームページを表示する処理の実行を指示するための操作ボタンである。復元ボタンである「地図データ読み込み」ボタン６０２は、ユーザがダウンロードした地図データを解凍する処理の実行を指示するための操作ボタンである。記録ボタンである「地図データをＣＤに書き込む」ボタン６０３は、解凍した地図データをＣＤ２に書き込む処理の実行を指示するための操作ボタンである。「ツールマニュアル」ボタン６０４は、支援ツール５０の操作方法などの情報を解説表示領域６５に表示するための操作ボタンである。操作ボタンの操作は、画面に表示されるポインタを操作ボタンの位置に移動し、たとえばマウスを左クリックすることによって操作することができる。以下、操作ボタンを操作することを、操作ボタンを押すともいう。
【００４２】
解説表示領域６５には、「解説」と付記され、各操作ボタンの説明、および支援ツール５０の操作方法などの情報を表示する解説表示欄６０６が設けられる。各操作ボタンの説明は、ポインタを操作ボタンの位置に移動したとき、その操作ボタンの説明が解説表示欄６０６に表示される。ファイルリスト表示領域６０７は、「ファイルリスト」と付記され、解凍後の地図データのファイル名を表示するファイルリスト表示欄６０８が設けられる。閉じるボタン６０９は、操作画面６０を閉じるための操作ボタンである。
【００４３】
図５は、解凍部５２によって表示される格納場所入力ウインドウ６１の一例を示す図である。格納場所入力ウインドウ６１は、ユーザが地図データ提供サーバ１０が開設するホームページからダウンロードした地図データを記憶した記憶部２３の格納場所を、ユーザに入力させるためのウインドウである。格納場所入力ウインドウ６１は、ユーザが操作画面６０に表示される「地図データ読み込み」ボタン６０２を操作すると、解凍部５２によって表示部２４に表示される。
【００４４】
格納場所入力ウインドウ６１には、「ダウンロードした地図データの格納場所」と付記される格納場所入力欄６１１および開くボタン６１２が設けられる。ユーザは、格納場所入力欄６１１に、地図データ提供サーバ１０のホームページからダウンロードした地図データを記憶した記憶部２３の格納場所を入力し、開くボタン６１２を操作する。図５に示した格納場所入力欄６１１には、ダウンロードした地図データの格納場所として、「Ｄ：￥ａａａａａａ」と表示されており、ダウンロードした地図データがＤドライブのａａａａａａディレクトリに記憶されていることが示されている。
【００４５】
ユーザが開くボタン６１２を操作すると、解凍部５２は、解凍プログラムを起動し、格納場所入力欄６１１に入力された格納場所、および解凍した地図データを記憶するための予め定める解凍先、たとえば支援ツール５０用のワーク領域を解凍プログラムに指示した後、解凍の開始を解凍プログラムに指示する。解凍プログラムは、指示された格納場所に記憶される地図データを解凍し、解凍した地図データを記憶部２３の予め定める解凍先に記憶する。解凍プログラムによる解凍が終了すると、解凍部５２は、解凍された地図データのファイル名を、操作画面６０のファイルリスト表示欄６０８に表示する。
【００４６】
図６は、解凍後のファイル名を表示するファイルリスト表示欄６０８ａの一例を示す図である。図６に示した操作画面６０ａのファイルリスト表示欄６０８ａには、「ｘｘｘｘｘｘ．ｘｘｘ」および「ｙｙｙｙｙｙ．ｙｙｙ」と表示されており、ファイル名「ｘｘｘｘｘｘ．ｘｘｘ」および「ｙｙｙｙｙｙ．ｙｙｙ」の地図データが解凍されたことを示している。
【００４７】
図７は、書込部５３によって表示されるドライブ入力ウインドウ６２の一例を示す図である。ドライブ入力ウインドウ６２は、解凍後の地図データを記録するＣＤ２を装着したドライブを識別するためのドライブ名を、ユーザに入力させるためのウインドウである。ドライブ入力ウインドウ６２は、ユーザが操作画面６０に表示される「地図データをＣＤに書き込む」ボタン６０３を操作すると、書込部５３によって表示部２４に表示される。
【００４８】
ドライブ入力ウインドウ６２には、「記録媒体に出力するドライブ」と付記されるドライブ名入力欄６２１およびＯＫボタン６２２が設けられる。ユーザは、ドライブ名入力欄６２１にＣＤ２を装着したドライブのドライブ名を入力し、ＯＫボタン６２２を操作する。図６に示したドライブ名入力欄６２１には、ドライブ名として、「Ｆ：￥」と表示され、ＣＤ２がＦドライブに装着されたことが入力されている。
【００４９】
ユーザがＯＫボタン６２２を操作すると、書込部５３は、書き込みプログラムを起動し、解凍部５２によって解凍された地図データを記憶する解凍先、たとえば支援ツール５０用のワーク領域、地図データを出力するドライブのドライブ名、およびＣＤ２に書き込む地図データのファイル名たとえば「ｍａｐ．ｚｉｐ」を書き込みプログラムに指示した後、書き込みプログラムに書き込みの開始を指示する。書き込みプログラムは、解凍先に記憶される地図データをＣＤ２に書き込む。
【００５０】
図８は、書込部５３によって表示される書き込み中メッセージウインドウ６３の一例を示す図である。書き込み中メッセージウインドウ６３は、解凍した地図データをＣＤ２に書き込み中であることを示すメッセージ「ＣＤ書き込み中」６３１を表示するウインドウであり、書き込みプログラムに書き込みの開始を指示した後、書込部５３によって表示部２４に表示される。
【００５１】
図９は、書込部５３によって表示される終了メッセージウインドウ６４の一例を示す図である。終了メッセージウインドウ６４は、解凍した地図データのＣＤ２への書き込みが終了したことを示すメッセージ「ＣＤ書き込みが終了しました」６４１を表示するウインドウであり、書き込みプログラムがＣＤ２への書き込みを終了すると、書込部５３によって表示部２４に表示される。終了メッセージウインドウ６４には、ＯＫボタン６４２が設けられており、ユーザは、ＣＤ２への書き込みが終了したことを確認すると、ＯＫボタン６４２を操作する。
【００５２】
図１０は、ユーザおよび支援ツール５０が行う処理の処理手順を示すシーケンス図である。図１０は、図１０の左半分にユーザが行う操作を、そして、図１０の右半分に支援ツール５０が行う処理を、上から下に時系列に示す。
【００５３】
シーケンスＳ１では、ユーザは、地図データ記録装置２０の表示部２４の画面に表示される支援ツール５０を起動するためのアイコンをダブルクリックして、支援ツール５０を起動する。シーケンスＳ２では、支援ツール５０は、操作画面６０を表示部２４に表示する。シーケンスＳ３では、ユーザは、操作画面６０で「Ｗｅｂサイトへアクセス」ボタン６０１を押す。シーケンスＳ４では、支援ツール５０は、ブラウザを起動し、地図データ提供サーバ１０にアクセスして、ホームページ（図では「ＨＰ」と略す）を表示する。
【００５４】
シーケンスＳ５では、ユーザは、ブラウザによって表示されるウインドウで、ダウンロードする地図データの地域を選択する。シーケンスＳ６では、ユーザは、ブラウザのウインドウで選択した地域の地図データをダウンロードし、ダウンロードした地図データを記憶部２３に記憶する。シーケンスＳ７では、ユーザは、地図データ記録装置２０の表示部２４の画面に表示される支援ツール５０のタブをクリックする。シーケンスＳ８では、支援ツール５０は、操作画面６０を最前面に表示する。
【００５５】
シーケンスＳ９では、ユーザは、操作画面６０で「地図データ読み込み」ボタン６０２を押す。シーケンスＳ１０では、支援ツール５０は、格納場所入力ウインドウ６１を表示部２４に表示する。シーケンスＳ１１では、ユーザは、ダウンロードした地図データを記憶した格納場所を、格納場所入力ウインドウ６１の格納場所入力欄６１１に入力し、開くボタン６１２を操作する。シーケンスＳ１２では、支援ツール５０は、解凍プログラムを起動して、解凍処理を実行する。シーケンスＳ１３では、支援ツール５０は、解凍プログラムによる解凍が終了すると、解凍後の地図データのファイル名を操作画面６０のファイルリスト表示欄６０８に表示する。
【００５６】
シーケンスＳ１４では、ユーザは、ファイルリスト表示欄６０８に表示された解凍後のファイル名を確認し、操作画面６０の「地図データをＣＤに書き込む」ボタン６０３を押す。シーケンスＳ１５では、支援ツール５０は、ドライブ入力ウインドウ６２を表示部２４に表示する。シーケンスＳ１６では、ユーザは、記録媒体たとえばＣＤ２に地図データを出力するドライブのドライブ名をドライブ入力ウインドウ６２のドライブ名入力欄６２１に入力して、ＯＫボタン６２２を操作する。
【００５７】
シーケンスＳ１７では、支援ツール５０は、ドライブ名入力欄６２１に入力されたドライブ名のドライブに装着されたＣＤ２に、地図データを書き込む書き込み処理を実行する。書き込み中は、書き込み中メッセージウインドウ６３を表示部２４に表示する。シーケンスＳ１８では、支援ツール５０は、ＣＤ２への書き込みが終了すると、終了メッセージウインドウ６４を表示部２４に表示する。シーケンスＳ１９では、ユーザは、ＣＤ２への書き込みが終了したことを確認すると、ＯＫボタン６４２を操作する。シーケンスＳ２０では、支援ツール５０は、終了メッセージウインドウ６４を閉じる。
【００５８】
このように、ユーザは、支援ツール５０が表示する操作画面６０などのウインドウの表示に従って操作すればよい。すなわち、ユーザは、従来の技術では、ユーザが行わなければならなかった操作、たとえばブラウザの起動、地図データ提供サーバ１０が開設するホームページのＵＲＬの指定、解凍プログラムの起動、解凍先のファイルの指定、ＣＤ書き込みプログラムの起動、および解凍したデータのファイルの指定などの操作を行う必要がない。したがって、ユーザは、より簡便な操作で、地図データ提供サーバ１０から地図データをダウンロードして解凍し、ＣＤ２に記録することができる。
【００５９】
図１１は、サイトアクセス部５１が実行するサイトアクセス処理の処理手順を示すフローチャートである。たとえば表示部２４に表示されるアイコンのうち、支援ツール５０を起動するためのアイコンがマウスによってダブルクリックされて、支援ツール５０が起動されると、ステップＡ１に移る。
【００６０】
ステップＡ１では、操作画面６０を表示部２４に表示する。ステップＡ２では、操作画面６０に表示される「Ｗｅｂサイトへアクセス」ボタン６０１が押されたか否かを判定する。「Ｗｅｂサイトへアクセス」ボタン６０１が押されると、ステップＡ３に進み、「Ｗｅｂサイトへアクセス」ボタン６０１が押されないと、ステップＡ２に戻る。ステップＡ３では、指定ＵＲＬにてブラウザを起動する。すなわち、指定ＵＲＬとして、地図データ提供サーバ１０が開設するホームページのＵＲＬを指定しておいて、ブラウザを起動する。ステップＡ４では、最前面に表示する画面を、操作画面６０からブラウザのウインドウに切り換えて、サイトアクセス処理を終了する。ステップＡ１〜ステップＡ４は、表示ステップである。ステップＡ３に示す処理手順は、予め定めるアクセス手順である。
【００６１】
図１２は、解凍部５２が実行する解凍処理の処理手順を示すフローチャートである。サイトアクセス部５１によるサイトアクセス処理が終了し、表示部２４に表示される支援ツール５０のタブがクリックされると、ステップＢ１に移る。
【００６２】
ステップＢ１では、操作画面６０を最前面に表示する。ステップＢ２では、操作画面６０の「地図データ読み込み」ボタン６０２が押されたか否かを判定する。「地図データ読み込み」ボタン６０２が押されると、ステップＢ３に進み、「地図データ読み込み」ボタン６０２が押されないと、ステップＢ２に戻る。
【００６３】
ステップＢ３では、格納場所入力ウインドウ６１を表示部２４に表示する。ステップＢ４では、ダウンロードした地図データを記憶した格納場所が、格納場所入力ウインドウ６１の格納場所入力欄６１１に入力されたか否かを判定する。格納場所入力ウインドウ６１のＯＫボタン６２２が操作されると、ダウンロードした地図データを記憶した格納場所が格納場所入力欄６１１に入力されと判定し、ステップＢ５に進み、格納場所入力ウインドウ６１のＯＫボタン６２２が操作されないと、ダウンロードした地図データを記憶した格納場所が格納場所入力欄６１１に入力されないと判定し、ステップＢ４に戻る。
【００６４】
ステップＢ５では、解凍プログラムを起動する。ステップＢ６では、格納場所入力欄６１１に入力された格納場所、および予め定める解凍先、たとえば支援ツール５０用のワーク領域を解凍プログラムに指定する。ステップＢ７では、解凍プログラムに解凍処理開始を指示する。ステップＢ８では、解凍プログラムによる解凍処理が終了したか否かを判定する。解凍プログラムによる解凍処理が終了すると、ステップＢ９に進み、解凍プログラムによる解凍処理が終了しないと、ステップＢ８に戻る。ステップＢ９では、解凍後の地図データのファイル名を、操作画面６０のファイルリスト表示欄６０８に表示して、解凍処理を終了する。ステップＢ１〜ステップＢ９は、復元ステップである。ステップＢ５〜ステップＢ７に示す処理手順は、予め定める復元手順である。
【００６５】
図１３は、書込部５３が実行する書込処理の処理手順を示すフローチャートである。解凍部５２による解凍処理が終了すると、ステップＣ１に移る。ステップＣ１では、「地図データをＣＤに書き込む」ボタン６０３が押されたか否かを判定する。「地図データをＣＤに書き込む」ボタン６０３が押されると、ステップＣ２に進み、「地図データをＣＤに書き込む」ボタン６０３が押されないと、ステップＣ１に戻る。ステップＣ２では、ドライブ入力ウインドウ６２を表示部２４に表示する。
【００６６】
ステップＣ３では、ドライブ入力ウインドウ６２のドライブ名入力欄６２１にドライブ名が入力されたか否かを判定する。ドライブ入力ウインドウ６２のＯＫボタン６２２が押されると、ドライブ名が入力されたと判定し、ステップＣ４に進み、ＯＫボタン６２２が押されないと、ドライブ名が入力されないと判定し、ステップＣ３に戻る。ステップＣ４では、書き込みプログラムを起動する。
【００６７】
ステップＣ５では、予め定める解凍先、たとえば支援ツール５０用のワーク領域を書き込みプログラムに指示することによって、書き込み対象ファイルとして、予め定める解凍先内のすべてのファイルを選択する。ステップＣ６では、ＣＤ２に書き込むファイル名たとえば「ｍａｐ．ｚｉｐ」、および地図データを出力するドライブのドライブ名を書き込みプログラムに指示する。ステップＣ７では、書き込み中メッセージウインドウ６３を表示部２４に表示し、ＣＤ２への書き込み開始を書き込みプログラムに指示する。ステップＣ８では、書き込みプログラムによる書き込みが終了したか否かを判定する。書き込みプログラムによる書き込みが終了すると、ステップＣ９に進み、書き込みプログラムによる書き込みが終了しないと、ステップＣ８に戻る。
【００６８】
ステップＣ９では、終了メッセージウインドウ６４を表示部２４に表示する。ステップＣ１０では、ＯＫボタン６４２が押されたか否かを判定する。ＯＫボタン６４２が押されると、ステップＣ１１に進み、ＯＫボタン６４２が押されないと、ステップＣ１０に戻る。ステップＣ１１では、終了メッセージウインドウ６４を閉じて、書込処理を終了する。ステップＣ１〜ステップＣ１１は、記録ステップである。ステップＣ４〜ステップＣ７に示す処理手順は、予め定める記録手順である。
【００６９】
このように、予め定める圧縮方法に基づいて圧縮されたデータを記憶し、記憶するデータのうち要求されるデータをネットワーク３０を介して送信するためのホームページを開設する地図データ提供サーバ１０と、操作部２５、表示部２４、記憶部２３、記録部２６、サイトアクセス部５１、解凍部５２および書込部５３を含む地図データ記録装置２０とを含む地図データ更新システム１によってデータを着脱可能なＣＤ２に記録するにあたって、操作部２５によって、情報が入力され、表示部２４によって、情報が表示され、記憶部２３によって、データが記憶され、記録部２６によって、着脱可能なＣＤ２にデータが記録される。
【００７０】
サイトアクセス部５１によって、地図データ提供サーバ１０にアクセスして前記ホームページを表示する処理を行うための「Ｗｅｂサイトへアクセス」ボタン６０１、前記圧縮方法に基づいて圧縮されたデータを復元する処理を行うための「地図データ読み込み」ボタン６０２、およびデータをＣＤ２に記録する処理を行うための「地図データをＣＤに書き込む」ボタン６０３が形成された操作画面６０が表示部２４に表示され、「Ｗｅｂサイトへアクセス」ボタン６０１が操作されたとき、地図データ提供サーバ１０にアクセスしてホームページを表示するためのステップＡ３に示す処理手順に従って、地図データ提供サーバ１０のホームページが表示部２４に表示される。
【００７１】
解凍部５２によって、「地図データ読み込み」ボタン６０２が操作されたとき、前記圧縮方法に基づいて圧縮されたデータを復元するためのステップＢ５〜ステップＢ７に示す処理手順に従って、前記圧縮方法によって圧縮されたデータを記憶する記憶部２３内の格納場所を示す格納場所情報のうち、操作部２５によって入力される格納場所情報が示す格納場所に記憶されるデータが復元される。
【００７２】
そして、書込部５３によって、「地図データをＣＤに書き込む」ボタン６０３が操作されたとき、記録部２６によってデータをＣＤ２に記録するためのステップＣ４〜ステップＣ７に示す処理手順に従って、解凍部５２によって復元されたデータが、記録部２６によってＣＤ２に記録される。
【００７３】
したがって、ユーザは、地図データ記録装置２０によって表示される操作画面６０に応答して操作すればよく、地図データ提供サーバ１０が提供する地図データをより簡便な操作で更新用のＣＤ２に記録することができる。
【００７４】
さらに、図１１に示したフローチャートのステップＡ１〜ステップＡ４では、予め定める圧縮方法に基づいて圧縮されたデータを記憶し、記憶するデータのうち要求されるデータをネットワーク３０を介して送信するためのホームページを開設する地図データ提供サーバ１０にアクセスして前記ホームページを表示する処理を行うための「Ｗｅｂサイトへアクセス」ボタン６０１、前記圧縮方法に基づいて圧縮されたデータを復元する処理を行うための「地図データ読み込み」ボタン６０２、およびデータをＣＤ２に記録する処理を行うための「地図データをＣＤに書き込む」ボタン６０３が形成された操作画面６０を、情報を表示する表示部２４に表示し、「Ｗｅｂサイトへアクセス」ボタン６０１が操作されたとき、地図データ提供サーバ１０にアクセスしてホームページを表示するためのステップＡ３に示す処理手順に従って、地図データ提供サーバ１０のホームページを表示する。
【００７５】
図１２に示したフローチャートのステップＢ１〜ステップＢ９では、「地図データ読み込み」ボタン６０２が操作されたとき、前記圧縮方法に基づいて圧縮されたデータを復元するためのステップＢ５〜ステップＢ７に示す処理手順に従って、前記圧縮方法によって圧縮されたデータを記憶する格納場所を示す格納場所情報のうち、情報を入力する操作部２５によって入力される格納場所情報が示す格納場所に記憶されるデータを復元する。
【００７６】
そして、図１３に示したフローチャートのステップＣ１〜ステップＣ１１では、「地図データをＣＤに書き込む」ボタン６０３が操作されたとき、着脱可能なＣＤ２にデータを記録する記録部２６によってデータをＣＤ２に記録するためのステップＣ４〜ステップＣ７に示す処理手順に従って、図１２に示したフローチャートのステップＢ１〜ステップＢ９で復元されたデータをＣＤ２に記録する。
【００７７】
したがって、ユーザは、本発明に係るデータ記録方法によって表示される操作画面６０に応答して操作すればよく、地図データ提供サーバ１０が提供する地図データをより簡便な操作で更新用のＣＤ２に記録することができる。
【００７８】
さらに、本発明に係るデータ記録方法の各ステップをコンピュータに実行させるためのプログラムつまり支援ツール５０として提供することができる。
【００７９】
上述した実施の形態では、地図データ提供サーバ１０は、圧縮されたデータを記憶するが、記憶する情報量、および通信回線を介して送受信する情報量を減らすために圧縮しているものであり、情報量を気にする必要がない場合は、必ずしもデータを圧縮しておく必要はない。
【００８０】
さらに、上述した実施の形態では、地図データ提供サーバ１０が提供するデータを地図データとして説明したが、地図データに限定されるものではなく、ユーザが最新のデータをホームページからダウンロードして、ユーザが利用するデータを常に最新のデータにしておく必要があるデータであれば、適用可能である。
【００８１】
さらに、上述した実施の形態では、支援ツール５０は、地図データ記録装置２０の記憶部２３に記憶されるが、支援ツール５０は、着脱可能な記録媒体に記録されていてもよいし、インターネットなどによってホームページからダウンロード可能としてもよい。着脱可能な記録媒体は、たとえばナビゲーション装置を販売するメーカから配布される。支援ツール５０は、ユーザのパソコンにインストールされることによって、ユーザのパソコンを地図データ記録装置２０として機能させることができる。支援ツール５０をインストールすると、ユーザのパソコンの画面に、支援ツール５０を起動するためのアイコンが表示される。
【００８２】
着脱可能な記録媒体は、たとえばフレキシブルディスク／ハードディスクなどの磁気ディスクもしくはＣＤ（Compact Disk）／ＤＶＤ（Digital Versatile Disk）／ブルーレイディスクなどの光ディスクのディスク系の記録媒体、あるいはＩＣ（Integrated Circuit）カード／メモリカードなどのカード系の記録媒体である。
【００８３】
したがって、本発明に係るデータ記録方法の各ステップをコンピュータに実行させるためのプログラムを記録したコンピュータ読取り可能な記録媒体として提供することができる。
【図面の簡単な説明】
【００８４】
【図１】本発明の実施の一形態である地図データ更新システム１の構成を示すブロック図である。
【図２】地図データ記録装置２０のハードウエアの構成を示すブロック図である。
【図３】支援ツール５０の機能の構成を示す図である。
【図４】サイトアクセス部５１によって表示される操作画面６０の一例を示す図である。
【図５】解凍部５２によって表示される格納場所入力ウインドウ６１の一例を示す図である。
【図６】解凍後のファイル名を表示するファイルリスト表示欄６０８ａの一例を示す図である。
【図７】書込部５３によって表示されるドライブ入力ウインドウ６２の一例を示す図である。
【図８】書込部５３によって表示される書き込み中メッセージウインドウ６３の一例を示す図である。
【図９】書込部５３によって表示される終了メッセージウインドウ６４の一例を示す図である。
【図１０】ユーザおよび支援ツール５０が行う処理の処理手順を示すシーケンス図である。
【図１１】サイトアクセス部５１が実行するサイトアクセス処理の処理手順を示すフローチャートである。
【図１２】解凍部５２が実行する解凍処理の処理手順を示すフローチャートである。
【図１３】書込部５３が実行する書込処理の処理手順を示すフローチャートである。
【符号の説明】
【００８５】
１  地図データ更新システム
２  記録媒体
１０  地図データ提供サーバ
２０  地図データ記録装置
２１  通信部
２２  制御部
２３  記憶部
２４  表示部
２５  操作部
２６  記録部
３０  ネットワーク
４０  ナビゲーション装置
５０  地図データ取得操作支援ツール
５１  サイトアクセス部
５２  解凍部
５３  書込部
６０  操作画面
６１  格納場所入力ウインドウ
６２  ドライブ入力ウインドウ
６３  書き込み中メッセージウインドウ
６４  終了メッセージウインドウ
【図１】
2009163824.tif 000003
【図２】
2009163824.tif 000004
【図３】
2009163824.tif 000005
【図４】
2009163824.tif 000006
【図５】
2009163824.tif 000007
【図６】
2009163824.tif 000008
【図７】
2009163824.tif 000009
【図８】
2009163824.tif 000010
【図９】
2009163824.tif 000011
【図１０】
2009163824.tif 000012
【図１１】
2009163824.tif 000013
【図１２】
2009163824.tif 000014
【図１３】
2009163824.tif 000015